【手続補正書】
【提出日】平成24年1月6日(2012.1.6)
【手続補正１】
【補正対象書類名】特許請求の範囲
【補正対象項目名】全文
【補正方法】変更
【補正の内容】
【特許請求の範囲】
【請求項１】
光透過性基板と、
前記光透過性基板の視認側と反対側に形成された光拡散部と、
前記光透過性基板の視認側に形成された透明樹脂層とを備え、
前記光透過性基板が有色領域を備え、
前記透明樹脂層が、平滑処理によって、平滑化された平滑面を有することを特徴とする表示板。
【請求項２】
前記有色領域が、色を有する光透過性基板であることを特徴とする請求項１に記載の表示板。
【請求項３】
前記有色領域が、光透過性基板の視認側に形成された有色層であることを特徴とする請求項１から２のいずれかに記載の表示板。
【請求項４】
前記有色層の視認側に形成された透明樹脂層を備え、
前記透明樹脂層が、平滑処理によって、平滑化された平滑面を有することを特徴とする請求項３に記載の表示板。
【請求項５】
前記有色層が、有色樹脂層であることを特徴とする請求項３から４のいずれかに記載の表示板。
【請求項６】
前記光透過性基板の視認側と反対側に形成された光拡散部の表面に、反射型透過膜を形成したことを特徴とする請求項１から５のいずれかに記載の表示板。
【請求項７】
前記光透過性基板の視認側と反対側に、光透過性反射板を配設したことを特徴とする請求項１から６のいずれかに記載の表示板。
【請求項８】
前記表示板の視認側と反対側にソーラーセルを備え、
前記ソーラーセルの視認側の表面が、平滑処理によって、平滑化されたセル平滑面を有することを特徴とする請求項１から７のいずれかに記載の表示板。
【請求項９】
前記有色領域の色が、ＪＩＳ Ｚ ８７２９で規定されるL*a*b*表色系において、下記の条件式、すなわち、
【数１】
2010160027.tif 000001
【数２】
2010160027.tif 000002
【数３】
2010160027.tif 000003
のいずれかの条件式を満たすことを特徴とする請求項１から８のいずれかに記載の表示板。
【手続補正２】
【補正対象書類名】明細書
【補正対象項目名】００１８
【補正方法】変更
【補正の内容】
【００１８】
しかしながら、図１９に示したような、従来の表示板１００では、図２２に示したように、光透過性基板１０２の上面側に、例えば、時字などの装飾部材１０６を形成する。このとき、光透過性基板１０２を通して、下面側に存在する有色樹脂層１０４に投影されて装飾部材１０６の影１０８ができてしまい、この影１０８を視認することになる。つまり、光透過性基板１０２を通して影を見ているにもかかわらず、光透過性基板１０２があたかも厚みのある樹脂層のように見えてしまい、高級感に欠けることになる。
【手続補正３】
【補正対象書類名】明細書
【補正対象項目名】００８４
【補正方法】変更
【補正の内容】
【００８４】
また、本発明の表示板は、前記表示板の外周部が、固定部材により固定されていることを特徴とする。
このように構成することによって、例えば、互いの表面の外周部を粘着材または接着剤などを介して固定部材で固定することによって、光透過性基板と、有色樹脂層と、透明樹脂層の間の密着を向上できるとともに、ソーラーセルと一体化したモジュール表示板を提供することもできる。
【手続補正４】
【補正対象書類名】明細書
【補正対象項目名】０１２４
【補正方法】変更
【補正の内容】
【０１２４】
また、有色樹脂層１４の厚さと、透明樹脂層１６の厚さとの比が、１：２００〜５０：１の範囲であるのが望ましい。
このような範囲に有色樹脂層１４の厚さと、透明樹脂層１６の厚さとの比があれば、透明樹脂層１６を平滑化して平滑面を形成する際にも、透明樹脂層１６が残存するとともに、有色樹脂層１４が存在することになるので、平滑処理によって、光透過性基板１２が傷つくことなく、一定の外観品質を保持することができる。
【手続補正５】
【補正対象書類名】明細書
【補正対象項目名】０１２５
【補正方法】変更
【補正の内容】
【０１２５】
また、本発明の表示板１０では、有色樹脂層１４の厚さが、１〜５０μｍの範囲で、透明樹脂層１６の厚さが、１〜２００μｍの範囲であるのが望ましい。
このような範囲に、有色樹脂層１４の厚さと透明樹脂層１６の厚さがあれば、透明樹脂層１６を平滑化して平滑面を形成する際にも、透明樹脂層１６が残存するとともに、有色樹脂層１４が傷つくことがなく、一定の外観品質を保持することができる。
【手続補正６】
【補正対象書類名】明細書
【補正対象項目名】０１３３
【補正方法】変更
【補正の内容】
【０１３３】
しかも、有色樹脂層１４によって、ソーラーセルの十字線や濃紫色が目に見えないようにすることができる。
また、光透過性基板１２が、プラスチックのような軟らかい材料であっても、光透過性基板１２の製造工程で傷が入っても見えなくなり、歩留まりが向上し、安価な製品を提供できる。
【手続補正７】
【補正対象書類名】明細書
【補正対象項目名】０１３６
【補正方法】変更
【補正の内容】
【０１３６】
また、光透過性基板１２が、着色剤、拡散剤のうち、少なくとも一つを含有するので、その分、有色樹脂層１４の厚さを薄くできるので、表示板全体の厚さを薄くすることができ、コンパクトな表示板を提供することができる。
【手続補正８】
【補正対象書類名】明細書
【補正対象項目名】０１３９
【補正方法】変更
【補正の内容】
【０１３９】
しかも、視認側表面の拡散光が少なくなり、光拡散部２１によって光が拡散され、光拡散部２１の模様が視認されやすく、金属感のある高級感にあふれ、デザインバリエーションの拡大化を図れる表示板を提供することができる。
【手続補正９】
【補正対象書類名】明細書
【補正対象項目名】０１４７
【補正方法】変更
【補正の内容】
【０１４７】
また、光透過性基板１２が、プラスチックのような軟らかい材料であっても、光透過性基板１２の製造工程で傷が入っても、また、薬品による基板の損傷が発生したとしても、これらの傷が見えなくなり、美観上も外観品質も向上し、しかも、歩留まりが向上し、安価な製品を提供できる。
【手続補正１０】
【補正対象書類名】明細書
【補正対象項目名】０１７２
【補正方法】変更
【補正の内容】
【０１７２】
この実施例の表示板１０では、図８に示したように、表示板１０の外周部が、固定部材２２により固定されている。
このように構成することによって、例えば、互いの表面の外周部を粘着材または接着剤などを介して固定部材２２で固定することによって、光透過性基板１２と、有色樹脂層１４と、透明樹脂層１６の間の密着を向上できるとともに、図示しないが、ソーラーセルと一体化したモジュール表示板を提供することもできる。
【手続補正１１】
【補正対象書類名】明細書
【補正対象項目名】０１９７
【補正方法】変更
【補正の内容】
【０１９７】
この実施例の表示板１０では、図１３に示したように、光透過性基板１２の視認側と反対側（すなわち、図１３において、下方側）に、ソーラーセル２６との間に、鏡面反射作用を有する光透過性反射板２８を配設している。そして、ソーラーセル２６の視認側の表面が、平滑処理によって、平滑化されたセル平滑面３０を有している。
【手続補正１２】
【補正対象書類名】明細書
【補正対象項目名】０２０６
【補正方法】変更
【補正の内容】
【０２０６】
また、例えば、メッキ、印刷、塗装、電着、スパッタリング、蒸着方法などで、非常に薄い膜を形成して、印刷層１４を着色するようにしてもよく、求める色調に応じて適宜選択するのが好ましい。
【手続補正１３】
【補正対象書類名】明細書
【補正対象項目名】０２１０
【補正方法】変更
【補正の内容】
【０２１０】
この実施例の表示板１０では、図１５に示したように、光透過性基板１２の視認側と反対側（すなわち、下面側）の表面において、光拡散部２１を省略している。
その代わりに、この実施例の表示板１０では、光透過性基板１２の視認側と反対側（すなわち、図１５において、下方側）に、光透過性反射板として、反射型偏光板３８を配設しており、この反射型偏光板３８の視認側と反対側（すなわち、下面側）の表面に、光拡散部２１と同様に、微小な凹凸部４０からなる光拡散部４２が形成されている。